(57)【要約】  行先階語彙辞書の設定に煩雑な手数がかかることなく認識率を向上させるエレベータの行先階登録装置を提供する。このため、音声入力部で利用者の音声の入力を受けて音声認識により呼び登録を行うエレベータの呼び登録装置において、行先階語彙の音声データが複数登録された行先階語彙辞書を記憶する記憶部と、エレベータのサービス可能階／不可階についてのエレベータ状態をエレベータから取得するエレベータ情報取得部と、エレベータ状態に基づき、行先階語彙辞書の各行先階語彙について音声認識に用いるか否かを設定する辞書自動設定部と、入力音声が、行先階語彙辞書の音声認識に用いると設定された行先階語彙の音声データと合致するか否かを判定して音声認識を行う音声認識部と、入力音声が行先階語彙の音声データと合致した場合に、当該合致した行先階語彙の行先階への呼び登録要求を出力する行先階登録部と、を備える。
2012137284.tif 000002
【特許請求の範囲】
【請求項１】
エレベータの利用者が発した音声の入力を受ける音声入力部を用いて音声認識により呼び登録を行うエレベータの呼び登録装置において、
呼び登録の行先階を表す所定の行先階語彙の音声データが複数登録された行先階語彙辞書を記憶する記憶部と、
前記エレベータのサービス可能階及びサービス不可階についての情報を少なくとも含むエレベータ状態を前記エレベータから取得するエレベータ情報取得部と、
前記エレベータ情報取得部が取得した前記エレベータ状態に基づいて、前記行先階語彙辞書に登録された各前記行先階語彙について、前記音声認識に用いるか否かを設定する辞書自動設定部と、
前記音声入力部に入力された音声が、前記行先階語彙辞書の前記行先階語彙のうち前記辞書設定部により前記音声認識に用いると設定されたものの音声データと合致するか否かを判定して前記音声認識を行う音声認識部と、
前記音声入力部に入力された音声が前記行先階語彙の音声データと合致したと判定された場合に、当該合致した前記行先階語彙が表す行先階への呼び登録要求をエレベータ制御部へと出力する行先階登録部と、を備えたことを特徴とするエレベータの行先階登録装置。
【請求項２】
エレベータの乗りかご内に設けられ、前記乗りかごの停止階への到着時に前記乗りかご内に発せられた停止階案内アナウンスを取り込むマイクを備え、
前記辞書自動設定部は、前記マイクが取り込んだ前記停止階案内アナウンスに基づいて、前記音声認識に用いる前記行先階語彙辞書の前記行先階語彙を設定することを特徴とする請求項１に記載のエレベータの行先階登録装置。
【発明の詳細な説明】
【技術分野】
【０００１】
この発明は、エレベータの行先階登録装置に関するものである。
【背景技術】
【０００２】
ボタン操作により行先呼び登録を行うエレベータにおいては、利用者の視覚が不自由な場合や利用者が荷物を持っている場合、あるいは、非常に混雑している場合等、ボタン操作による行先呼び登録が困難である場合がある。そこで、従来においては、手によるボタン操作を必要とせず、音声入力により行先呼び登録が可能であるエレベータの行先階登録装置が知られている。このエレベータの行先階登録装置は、マイクロフォン等の音声入力部に利用者が発話した音声が入力されると、この入力された音声を認識して利用者が発話した行先階等への行先階登録を行うものである。【０００３】
このようなエレベータの利用者が発した音声の入力を受ける音声入力部を用いて音声認識により行先階登録を行うエレベータの行先階登録装置としては、例えば、特許文献１や特許文献２に記載されたものが従来において知られている。これらの特許文献１や特許文献２に記載された行先階登録装置は、行先階を表す語彙を複数登録した行先階語彙辞書を予め用意し、入力された音声をこの行先階語彙辞書に登録された語彙と比較・照合することによって、入力された音声がいずれの行先階を表すものであるかを認識する。この行先階語彙辞書には、多くの建物において辞書を共通化して用いることができるようにする等の理由により、例えば、１階〜９９階等といった通常の建物の全て階床をカバーすることができるように充分多数の階床名が予め登録されたものを用いることが多い。【０００４】
また、各階床にある施設、部署や店等を表す語彙やその同義語を、階床名とともに行先階語彙辞書に予め登録しておき、階床名のみならず利用者が目的とする階床にある施設等の名を発声することによっても目的とする行先階への呼びが登録できるようにした行先階登録装置も従来において知られている（例えば、特許文献３参照）。
【先行技術文献】
【特許文献】
【０００５】
【特許文献１】日本特開平０３−２８４５８９号公報
【特許文献２】日本特開平０４−２９８４６４号公報
【特許文献３】日本特開２００２−１２８４０４号公報
【発明の概要】
【発明が解決しようとする課題】
【０００６】
しかしながら、これらの従来におけるエレベータの行先階登録装置においては、行先階語彙辞書に例えば１階〜９９階といった充分多数の階床名が予め登録されているため、当該エレベータが設置された建物には実在しない階床名や当該エレベータの非サービス階（停止不可階）の階床名が行先階語彙辞書に登録されていることになる。例えば、当該エレベータが設置された建物には１階から１０階までしか実在しないにも関わらず行先階語彙辞書には１１階が登録されていたり、当該エレベータは２階にはサービスしないように設定されているにも関わらず行先階語彙辞書には２階が登録されていたりしてしまう。【０００７】
そして、このように、行先階として選択することができない階床名が行先階語彙辞書に登録されているため、利用者は行先階として選択可能である階床名を発声したにも関わらず、行先階として選択することができない階床名として誤認識されてしまうという課題がある。この誤認識は、利用者が発声した階床名と音がよく似ている階床名が、行先階として選択することができないにも関わらず行先階語彙辞書に登録されている場合に、その発生率が高くなってしまう。【０００８】
これに対し、エレベータが設置される建物の階床数や当該エレベータのサービス階設定に応じて、当該エレベータの行先階として選択可能な階床名のみを登録した行先階語彙辞書を個別に用意するようにした場合には、行先階語彙辞書の設定に煩雑な手数がかかるという課題がある。【０００９】
この発明は、このような課題を解決するためになされたもので、行先階語彙辞書の設定に煩雑な手数がかかることなく、誤認識の発生を抑制して認識率を向上させることができるエレベータの行先階登録装置を得るものである。
【課題を解決するための手段】
【００１０】
この発明に係るエレベータの行先階登録装置においては、エレベータの利用者が発した音声の入力を受ける音声入力部を用いて音声認識により呼び登録を行うエレベータの呼び登録装置において、呼び登録の行先階を表す所定の行先階語彙の音声データが複数登録された行先階語彙辞書を記憶する記憶部と、前記エレベータのサービス可能階及びサービス不可階についての情報を少なくとも含むエレベータ状態を前記エレベータから取得するエレベータ情報取得部と、前記エレベータ情報取得部が取得した前記エレベータ状態に基づいて、前記行先階語彙辞書に登録された各前記行先階語彙について、前記音声認識に用いるか否かを設定する辞書自動設定部と、前記音声入力部に入力された音声が、前記行先階語彙辞書の前記行先階語彙のうち前記辞書設定部により前記音声認識に用いると設定されたものの音声データと合致するか否かを判定して前記音声認識を行う音声認識部と、前記音声入力部に入力された音声が前記行先階語彙の音声データと合致したと判定された場合に、当該合致した前記行先階語彙が表す行先階への呼び登録要求をエレベータ制御部へと出力する行先階登録部と、を備えた構成とする。
【発明の効果】
【００１１】
この発明に係るエレベータの行先階登録装置においては、行先階語彙辞書の設定に煩雑な手数がかかることなく、誤認識の発生を抑制して認識率を向上させることができるという効果を奏する。
【図面の簡単な説明】
【００１２】
【図１】この発明の実施の形態１に係るエレベータの行先階登録装置の全体構成を示すブロック図である。
【図２】この発明の実施の形態１に係るエレベータの行先階登録装置の語彙辞書の設定例を示す図である。
【図３】この発明の実施の形態１に係るエレベータの行先階登録装置の動作を示すフロー図である。
【図４】この発明の実施の形態２に係るエレベータの行先階登録装置の全体構成を示すブロック図である。
【図５】この発明の実施の形態２に係るエレベータの行先階登録装置の語彙辞書の設定例を示す図である。
【図６】この発明の実施の形態２に係るエレベータの行先階登録装置の動作を示すフロー図である。
【図７】この発明の実施の形態３に係るエレベータの行先階登録装置の語彙辞書の設定例を示す図である。
【発明を実施するための形態】
【００１３】
この発明を添付の図面に従い説明する。各図を通じて同符号は同一部分又は相当部分を示しており、その重複説明は適宜に簡略化又は省略する。
【００１４】
実施の形態１．
図１から図３はこの発明の実施の形態１に係るもので、図１はエレベータの行先階登録装置の全体構成を示すブロック図、図２はエレベータの行先階登録装置の語彙辞書の設定例を示す図、図３はエレベータの行先階登録装置の動作を示すフロー図である。
【００１５】
図１において、１は、エレベータの利用者が所望する行先階への呼びを登録するための行先階登録装置本体である。この行先階登録装置本体１は、エレベータの図示しない乗りかご内及び図示しない乗場のいずれか又は両方に設置されている。
【００１６】
行先階登録装置本体１には、利用者が発した音声の入力を受けるための第１のマイク１ａ及び音声入力部１ｂが備えられている。利用者が発した音声は第１のマイク１ａにより取り込まれる。第１のマイク１ａにより取り込まれた音波は電気信号に変換される。そして、第１のマイク１ａからの電気信号は、音声入力部１ｂにより所定の処理がなされ音声信号に変換されて出力される。
【００１７】
音声入力部１ｂから出力された音声信号は、行先階登録装置本体１の備える音声認識部１ｃへと入力される。音声認識部１ｃは、音声入力部１ｂに入力された音声を、行先階語彙辞書１ｄに登録された所定の行先階語彙の音声データと比較照合することにより、音声認識処理を行う。行先階語彙辞書１ｄに登録されている内容は、呼び登録の行先階を表す所定の語彙（例えば、１階を表す「イッカイ」や２階を表す「ニカイ」等）である複数の行先階語彙の音声データ（音声の波形データ）である。行先階語彙辞書１ｄは行先階登録装置本体１の備える記憶部に記憶されている。行先階語彙辞書１ｄの内容は、後述するようにして事前に自動的に設定・更新されている。
【００１８】
音声認識部１ｃは、まず、音声入力部１ｂから出力された音声信号から、利用者により発話された音声部分である発話区間を切り出す。そして、音声認識部１ｃは、この切り出した発話区間の音声信号と、行先階語彙辞書１ｄに登録された行先階語彙の音声データの音声信号とを比較照合することにより、音声入力部１ｂに入力された音声が、行先階語彙の音声データのいずれかと合致するか否かを判定して音声認識を行う。
【００１９】
この音声認識部１ｃによる音声認識結果は、行先階登録装置本体１の備える行先階登録部１ｅへと出力される。行先階登録部１ｅは、音声認識部１ｃから出力された音声認識結果に基づいて、エレベータ２へと呼び登録要求を出力する。具体的には、音声認識部１ｃにおける音声認識結果が、音声入力部１ｂに入力された音声が行先階語彙と合致した（音声認識成功した）というものであった場合、行先階登録部１ｅは、この合致した行先階語彙が表す行先階への呼び登録要求をエレベータ２へと出力する。
【００２０】
エレベータ２には、特にエレベータの乗りかごの運転（呼びの登録や呼びへの応答等）を制御するエレベータ制御部２ａが備えられている。呼び登録制御部３ｃから出力された呼び登録要求は、エレベータ２のエレベータ制御部２ａへと入力される。エレベータ制御部２ａは、この入力された呼び登録要求が指示する行先階への呼び登録を行う。
【００２１】
一方、音声入力部１ｂに音声が入力されたものの入力された音声が行先階語彙辞書１ｄに登録された行先階語彙のいずれとも合致せず、音声認識部１ｃにより行先階語彙が認識されなかった（音声認識失敗した）場合には、行先階登録部１ｅは呼び登録要求を出力せず、呼び登録はなされない。
【００２２】
また、エレベータ２には、当該エレベータの状態に関する情報（以下、「エレベータ状態」という）を保持・管理しているエレベータ情報部２ｂが備えられている。このエレベータ情報部２ｂが保持・管理しているエレベータ状態には、当該エレベータが設置された建物の各階床についての情報や、当該エレベータがサービスしているサービス可能階及び当該エレベータがサービスしていないサービス不可階についての情報が含まれている。
【００２３】
行先階登録装置本体１に備えられたエレベータ情報取得部１ｆは、エレベータ２のエレベータ情報部２ｂから、エレベータ状態を取得するものである。そして、行先階登録装置本体１に備えられた辞書自動設定部１ｇは、エレベータ情報取得部１ｆが取得したエレベータ状態に基づいて、行先階語彙辞書１ｄを設定する。この行先階語彙辞書１ｄの設定の具体例を図２に示す。行先階語彙辞書１ｄには、各行先階のそれぞれに対して、当該行先階を表す行先階語彙が予め登録されている。
【００２４】
具体的には、行先階地下１階を表す行先階語彙として「チカイッカイ」、行先階（地上）１階を表す行先階語彙として「イッカイ」、以下同じく２階を表す行先階語彙として「ニカイ」、３階を表す行先階語彙として「サンカイ」、４階を表す行先階語彙として「ヨンカイ」、５階を表す行先階語彙として「ゴカイ」、６階を表す行先階語彙として「ロッカイ」、７階を表す行先階語彙として「ナナカイ」、８階を表す行先階語彙として「ハチカイ」９階を表す行先階語彙として「キュウカイ」、１０階を表す行先階語彙として「ジュッカイ」、１１階を表す行先階語彙として「ジュウイッカイ」が、それぞれ行先階語彙辞書１ｄに予め登録されている。
【００２５】
なお、図２には明示していないが、地下２階より下の階床及び地上１２階より上の階床についても、地下１階から地上１１階までと同様に、行先階語彙辞書１ｄに行先階語彙が予め登録されている。
【００２６】
このように、行先階語彙辞書１ｄには、各行先階を表す行先階語彙が予め登録されている。そして、辞書自動設定部１ｇは、エレベータ情報取得部１ｆにより取得されたエレベータ状態に基づいて、この行先階語彙辞書１ｄに登録されている各行先階語彙について、音声認識部１ｃによる音声認識に用いるか否かを自動的に設定する。
【００２７】
具体的には、行先階がサービス可能階である場合には、当該行先階を表す行先階語彙を音声認識部１ｃによる音声認識に用いるように設定する。また、行先階がサービス不可階である場合には、当該行先階を表す行先階語彙を音声認識部１ｃによる音声認識に用いないように設定する。なお、当該エレベータが設置された建物に実在しない階床については、サービス不可階として扱う。なお、サービス可能であるということは、利用者が行先階呼び登録の行先階として選択が可能であるということと同義である。また、逆に、サービス不可であるということは、利用者が行先階呼び登録の行先階として選択ができないということと同義である。
【００２８】
この辞書自動設定部１ｇによる行先階語彙辞書１ｄの自動設定の具体例について、図２を参照しながら説明する。図２において、網掛けされた部分が、音声認識部１ｃによる音声認識に用いないように設定されている行先階語彙である。そして、網掛けされていない部分が、音声認識部１ｃによる音声認識に用いるように設定されている行先階語彙である。
【００２９】
すなわち、具体的には、まず、地下１階より下の階及び地上１１階より上の階は、当該エレベータが設置された建物には実在しない階床であるため、これらの行先階を表す行先階語彙は音声認識部１ｃによる音声認識に用いないように設定されている。また、この例では、２階は当該エレベータがサービスしていない階床であるため、この２階を表す行先階語彙も音声認識部１ｃによる音声認識に用いないように設定されている。一方、１階、３階から１０階については、当該エレベータがサービスしている階床であるため、これらの行先階を表す行先階語彙は音声認識部１ｃによる音声認識に用いるように設定されている。
【００３０】
なお、エレベータ情報取得部１ｆによるエレベータ情報部２ｂからのエレベータ状態の取得及び辞書自動設定部１ｇによるエレベータ状態に基づく行先階語彙辞書１ｄの設定は、行先階登録装置本体１の電源投入時に行われる。また、さらに、所定の一定時間毎に定期的にエレベータ状態の取得及び行先階語彙辞書１ｄの設定更新が行われる。
【００３１】
この実施の形態にあっては、エレベータの行先階登録装置は、図３に示す一連のフローに従って動作する。
まず、ステップＳ１において、エレベータ情報取得部１ｆは、エレベータ２のエレベータ情報部２ｂからエレベータ状態を取得する。次に、ステップＳ２において、辞書自動設定部１ｇは、先のステップＳ１において取得したエレベータ状態をエレベータ情報取得部１ｆから得て、この得たエレベータ状態に基づいて、行先階登録装置本体１の行先階語彙辞書１ｄを自動設定する。なお、このステップＳ１及びステップＳ２は、前述したように、電源投入時や定期的に実施される。
【００３２】
そして、ステップＳ３において、利用者が呼びを登録したい行先階を第１のマイク１ａに対して発話すると、続くステップＳ４において、音声入力部１ｂは、ステップＳ３で第１のマイク１ａに入力された音声データを取得する。そして、ステップＳ５において、音声認識部１ｃは、音声入力部１ｂに入力された音声データと行先階語彙辞書１ｄの行先階語彙とを比較照合することにより音声認識を行う。
【００３３】
この際、この音声認識に用いられる、すなわち、音声入力部１ｂに入力された音声データと比較照合される行先階語彙辞書１ｄの行先階語彙は、先のステップＳ２で辞書自動設定部１ｇにより音声認識に用いるものと設定されたものである。換言すれば、音声認識部１ｃは、音声入力部１ｂに入力された音声データを、行先階として選択可能である行先階の行先階語彙と比較照合して音声認識を行う。
【００３４】
そして、この音声認識に成功した場合、すなわち、音声入力部１ｂに入力された音声が、行先階語彙辞書１ｄに音声認識に用いると設定された行先階語彙と合致した場合、ステップＳ６へと進む。ステップＳ６においては、行先階登録部１ｅは、この合致した行先階語彙が表す行先階への呼び登録要求をエレベータ２へと出力し、エレベータ制御部２ａは、この呼び登録要求が指示する行先階への呼び登録を行う。そして、一連の動作フローを終了する。
【００３５】
一方、ステップＳ５での音声認識において、音声認識に失敗した場合、すなわち、音声入力部１ｂに入力された音声が、行先階語彙辞書１ｄに音声認識に用いると設定された行先階語彙とは合致しなかった場合、行先階呼びは登録されることなく、一連の動作フローは終了する。
【００３６】
このように、当該エレベータのサービス不可階を表す行先階語彙については、音声認識における比較照合対象とならないように、音声認識に先立って行先階語彙辞書１ｄを辞書自動設定部１ｇにより自動的に設定している。このため、サービス不可階と行先階語彙の音がよく似ているサービス可能階が、このサービス不可階と誤認識されることを抑制することができる。ここで、「音がよく似ている」行先階語彙とは、例えば、５階を表す「ゴカイ（ｇｏｋａｉ）」と６階を表す「ロッカイ（ｒｏｋｋａｉ）」のように、語の先頭の子音は「ｇ」と「ｒ」とで異なるものの、以降の音が「ｏｋ（ｋ）ａｉ」のように（促音であるか否かという微差はあるものの）共通しているものである。このように、音がよく似た語彙どうしは音声認識において誤認識される可能性が一般に高いと言える。
【００３７】
この実施の形態１において挙げた例では、例えば、１階を表す「イッカイ（ｉｋｋａｉ）」と２階を表す「ニカイ（ｎｉｋａｉ）」も「音がよく似ている」行先階語彙である。しかし、この例では２階はサービス不可階であるため、「ニカイ」の行先階語彙は音声認識には用いられないように設定されている。従って、利用者が「イッカイ」のつもりで発声した場合に、この利用者が発声した音声が、「ニカイ」であると誤認識されることがなく、認識率の低下を防止することができる。
【００３８】
以上のように構成されたエレベータの行先階登録装置は、エレベータ情報取得部により、エレベータのサービス可能階及びサービス不可階についての情報を少なくとも含むエレベータ状態をエレベータから取得し、辞書自動設定部により、エレベータ情報取得部が取得したエレベータ状態に基づいて、行先階語彙辞書に登録された各行先階語彙について、音声認識に用いるか否かを設定するものである。
そして、音声認識部において、音声入力部に入力された音声が、行先階語彙辞書の行先階語彙のうち辞書設定部により音声認識に用いると設定されたものの音声データと合致するか否かを判定して音声認識を行う。
【００３９】
従って、エレベータが設置される建物の状態やエレベータのサービス状況に応じて、行先階として呼び登録が不可能である行先階語彙は音声認識に用いないように、自動的に行先階語彙辞書の内容を設定することができる。そして、このため、行先階語彙辞書の設定に煩雑な手数がかかることなく、誤認識の発生を抑制して認識率を向上させることが可能である。
【００４０】
実施の形態２．
図４から図６は、この発明の実施の形態２に係るもので、図４はエレベータの行先階登録装置の全体構成を示すブロック図、図５はエレベータの行先階登録装置の語彙辞書の設定例を示す図、図６はエレベータの行先階登録装置の動作を示すフロー図である。
【００４１】
前述した実施の形態１は、エレベータから取得したエレベータ状態に基づいて、行先階語彙辞書を自動設定するものであった。これに対し、ここで説明する実施の形態２は、エレベータのアナウンス部からスピーカを通じて発音されたアナウンスを、行先階登録装置本体のマイクにより取り込んで、そのアナウンス内容を解析して行先階語彙辞書に音声認識に用いる行先階語彙として設定するようにしたものである。
【００４２】
この実施の形態２においては、図４に示すように、エレベータ２には、乗りかご内の利用者に対して停止階をアナウンスするためのエレベータアナウンス部２ｃが備えられている。このエレベータアナウンス部２ｃは、乗りかごが停止階に到着する時に当該停止階の名称を停止階案内アナウンスとして出力する。そして、エレベータアナウンス部２ｃから出力された停止階案内アナウンスは、乗りかご内に設けられたスピーカ２ｄから乗りかご内に発音される。
【００４３】
ここで、アナウンスされる停止階の名称としては、通常用いられる数字と「階（カイ）」の語を組み合わせたものの他、その階床にある主な施設等を用いた特殊な階床名、例えば、「ロビー階」、「レストラン階」や「屋上階」等がある。
【００４４】
この実施の形態２においては、行先階登録装置本体１は、エレベータの乗りかごに設置されている。そして、行先階登録装置本体１には、スピーカ２ｄから乗りかご内に発音された停止階案内アナウンスを取り込む第２のマイク１ｈが備えられている。第２のマイク１ａにより取り込まれた音声は電気信号に変換される。そして、第２のマイク１ａから出力された電気信号は、行先階登録装置本体１の備える音声解析部１ｉに入力される。
【００４５】
この音声解析部１ｉは、第２のマイク１ｈにより取り込まれた音声を解析して当該音声が表す語彙を抽出する。そして、抽出した当該語彙を、行先階語彙辞書１ｄの行先階語彙として登録可能なデータ形式に変換して音声データとして出力する。辞書自動設定部１ｇは、この音声解析部１ｉから出力された音声データを、現在の停止階を行先階とした場合の当該行先階を表す行先階語彙の音声データとして行先階語彙辞書１ｄに設定する。
【００４６】
この行先階語彙辞書１ｄの設定内容の具体例を図５に示す。ここでは、行先階地下１階を表す行先階語彙として「チカイッカイ」、行先階（地上）１階を表す行先階語彙として「チュウシャジョウカイ」、以下同じく２階を表す行先階語彙として「ニカイ」、３階を表す行先階語彙として「ロビーカイ」、４階を表す行先階語彙として「ヨンカイ」、５階を表す行先階語彙として「レストランカイ」、６階を表す行先階語彙として「ロッカイ」、７階を表す行先階語彙として「ナナカイ」、８階を表す行先階語彙として「ハチカイ」９階を表す行先階語彙として「キュウカイ」、１０階を表す行先階語彙として「オクジョウカイ」、１１階を表す行先階語彙として「ジュウイッカイ」が、それぞれ行先階語彙辞書１ｄに設定されている。
【００４７】
このように、この例では、１階、３階、５階及び１０階を表す行先階語彙として、それぞれ、「チュウシャジョウカイ」、「ロビーカイ」、「レストランカイ」及び「オクジョウカイ」という、その階床にある主な施設等を用いた特殊な階床名が設定されている。なお、２階、並びに、当該エレベータが設置されている建物に実在しない地下１階より下の階床及び１１階より上の階床は、実施の形態１と同様に、サービス不可階であるとして音声認識部１ｃによる音声認識には用いられないように設定される。
【００４８】
この実施の形態における、エレベータの行先階登録装置の行先階語彙辞書設定は、図６に示す一連のフローに従って行われる。
まず、ステップＳ１１において、行先階登録装置本体１の第２のマイク１ｈは、エレベータ２が停止階に到着する際に乗りかご内にスピーカ２ｄから発せられる停止階案内アナウンスを取り込む。
【００４９】
次に、ステップＳ１２において、先のステップＳ１１で第２のマイク１ｈにより取り込まれた音声を解析して当該音声が表す語彙を抽出し、抽出した当該語彙を辞書データ（辞書登録用の音声データ）に変換する。そして、続くステップＳ１３において、辞書自動設定部１ｇは、先のステップＳ１２で得られた辞書データを行先階語彙辞書１ｄに行先階語彙として設定する。
【００５０】
なお、この図６の動作フローは、実施の形態１の図３のフロー図でいうステップＳ１からＳ２に相当するものであり、利用者が発した音声の音声認識に先立って少なくとも一回は実施される。例えば、当該エレベータの設置完了時に全てのサービス可能階に順に停止するように乗りかごを運転し、この際に図６の動作フローを実施することにより行先階語彙辞書１ｄが自動的に設定される。そして、行先階語彙辞書１ｄの自動設定が完了した状態で、利用者が第１のマイク１ａに音声を入力することにより、図３のフロー図におけるステップＳ３からＳ６の動作（音声認識）が行われる。
他の構成や動作については、実施の形態１と同様である。
【００５１】
以上のように構成されたエレベータの行先階登録装置は、その階床にある主な施設等の階床情報を用いた特殊な階床名を行先階語彙として自動的に設定することが可能であり、階床情報を用いた特殊な階床名によっても行先階の音声入力を行うことができるようになる。従って、通常用いられる数字と「階」の語を組み合わせた行先階語彙を用いた場合には、互いに音が似てしまう場合であっても、階床情報を用いた特殊な階床名によっても行先階の音声入力を行うことで、誤認識を防止することができる。
【００５２】
なお、この実施の形態においては、アナウンスを取り込むための第２のマイク１ｈと、利用者の発した音声を取り込むための第１のマイク１ａとは、同一のマイクを用いて構成するようにしてもよい。また、音声入力部１ｂと音声解析部１ｉについても、同様に１つにまとめるようにしてもよい。
【００５３】
また、通常用いられる数字と「階」の語を組み合わせた行先階語彙については、予め行先階語彙辞書１ｄに登録しておいてもよいし、スピーカ２ｄからアナウンスされたものを取り込んで辞書自動設定部１ｇによって行先階語彙辞書１ｄに自動的に設定するようにしてもよい。
【００５４】
実施の形態３．
図７は、この発明の実施の形態３に係るもので、エレベータの行先階登録装置の語彙辞書の設定例を示す図である。
【００５５】
ここで説明する実施の形態３は、行先階語彙辞書において１つの行先階に対して複数の行先階語彙を登録できるようにしたものである。図７に  この実施の形態３における行先階語彙辞書１ｄの設定内容の具体例を示す。ここでは、まず、各行先階に対して、実施の形態１で用いたような数字と「階」の語を組み合わせた階床名が登録されている。そして、さらに、その階床にある主な施設等を用いた特殊な階床名が存在する行先階については、実施の形態２で用いたような特殊な階床名も設定されている。
【００５６】
具体的に例えば、行先階１階について「イッカイ」及び「チュウシャジョウカイ」の２つの行先階語彙が設定されている。また、同様に、３階については「サンカイ」及び「ロビーカイ」の２つの行先階語彙が、５階については「ゴカイ」及び「レストランカイ」の２つの行先階語彙が、１０階については「ジュッカイ」及び「オクジョウカイ」の２つの行先階語彙が、それぞれ設定されている。
なお、他の構成や動作については、実施の形態１や実施の形態２と同様であり、その詳細説明は省略する。
【００５７】
以上のように行先階語彙辞書を設定した実施の形態３においては、ある１つの行先階に対して数字と「階」の語を組み合わせた通常の階床名と、その階床にある主な施設等を用いた特殊な階床名のどちらを用いても音声認識によりその行先階への呼び登録を行うことができる。
【００５８】
なお、ここでは、ある１つの行先階に対して数字と「階」の語を組み合わせた通常の階床名と、その階床にある主な施設等を用いた特殊な階床名の複数の行先階語彙を設定した例について説明した。この点については、ある１つの行先階に対して数字と「階」の語を組み合わせた通常の階床名の行先階語彙を複数設定するようにしてもよい。また、ある１つの行先階に対してその階床にある主な施設等を用いた特殊な階床名の行先階語彙を複数設定してもよい。前者の例としては、例えば、行先階７階に対して「ナナカイ」及び「シチカイ」の２つの行先階語彙を設定する等がある。
【産業上の利用可能性】
【００５９】
この発明は、エレベータの利用者が発した音声の入力を受ける音声入力部を用いて音声認識により呼び登録を行うエレベータの行先階登録装置に利用できる。
【符号の説明】
【００６０】
１    行先階登録装置本体
１ａ  第１のマイク
１ｂ  音声入力部
１ｃ  音声認識部
１ｄ  行先階語彙辞書
１ｅ  行先階登録部
１ｆ  エレベータ情報取得部
１ｇ  辞書自動設定部
１ｈ  第２のマイク
１ｉ  音声解析部
２    エレベータ
２ａ  エレベータ制御部
２ｂ  エレベータ情報部
２ｃ  エレベータアナウンス部
２ｄ  スピーカ
【図１】
2012137284.tif 000003
【図２】
2012137284.tif 000004
【図３】
2012137284.tif 000005
【図４】
2012137284.tif 000006
【図５】
2012137284.tif 000007
【図６】
2012137284.tif 000008
【図７】
2012137284.tif 000009
【手続補正書】
【提出日】平成23年9月27日(2011.9.27)
【手続補正１】
【補正対象書類名】特許請求の範囲
【補正対象項目名】全文
【補正方法】変更
【補正の内容】
【特許請求の範囲】
【請求項１】
エレベータの利用者が発した音声の入力を受ける音声入力部を用いて音声認識により呼び登録を行うエレベータの呼び登録装置において、
呼び登録の行先階を表す所定の行先階語彙の音声データが複数登録された行先階語彙辞書を記憶する記憶部と、
前記エレベータのサービス可能階及びサービス不可階についての情報を少なくとも含むエレベータ状態を前記エレベータから取得するエレベータ情報取得部と、
前記エレベータ情報取得部が取得した前記エレベータ状態に基づいて、前記行先階語彙辞書に登録された各前記行先階語彙について、前記音声認識に用いるか否かを設定する辞書自動設定部と、
前記音声入力部に入力された音声が、前記行先階語彙辞書の前記行先階語彙のうち前記辞書自動設定部により前記音声認識に用いると設定されたものの音声データと合致するか否かを判定して前記音声認識を行う音声認識部と、
前記音声入力部に入力された音声が前記行先階語彙の音声データと合致したと判定された場合に、当該合致した前記行先階語彙が表す行先階への呼び登録要求をエレベータ制御部へと出力する行先階登録部と、
前記エレベータの乗りかご内に設けられ、前記乗りかごの停止階への到着時に前記乗りかご内に発せられた停止階案内アナウンスを取り込むマイクと、を備え、
前記辞書自動設定部は、前記マイクが取り込んだ前記停止階案内アナウンスに基づいて、前記音声認識に用いる前記行先階語彙辞書の前記行先階語彙を設定することを特徴とするエレベータの行先階登録装置。
【請求項２】
（削除）
【手続補正書】
【提出日】平成25年6月10日(2013.6.10)
【手続補正１】
【補正対象書類名】特許請求の範囲
【補正対象項目名】全文
【補正方法】変更
【補正の内容】
【特許請求の範囲】
【請求項１】
エレベータの利用者が発した音声の入力を受ける音声入力部を用いて音声認識により呼び登録を行うエレベータの呼び登録装置において、
呼び登録の行先階を表す所定の行先階語彙の音声データが複数登録された行先階語彙辞書を記憶する記憶部と、
前記エレベータのサービス可能階及びサービス不可階についての情報を少なくとも含むエレベータ状態を前記エレベータから取得するエレベータ情報取得部と、
前記エレベータ情報取得部が取得した前記エレベータ状態に基づいて、前記行先階語彙辞書に登録された各前記行先階語彙について、前記音声認識に用いるか否かを設定する辞書自動設定部と、
前記音声入力部に入力された音声が、前記行先階語彙辞書の前記行先階語彙のうち前記辞書自動設定部により前記音声認識に用いると設定されたものの音声データと合致するか否かを判定して前記音声認識を行う音声認識部と、
前記音声入力部に入力された音声が前記行先階語彙の音声データと合致したと判定された場合に、当該合致した前記行先階語彙が表す行先階への呼び登録要求をエレベータ制御部へと出力する行先階登録部と、
前記エレベータの乗りかご内に設けられ、前記乗りかごの停止階への到着時に前記乗りかご内に発せられた停止階案内アナウンスを取り込むマイクと、を備え、
前記辞書自動設定部は、前記マイクが取り込んだ前記停止階案内アナウンスに基づいて、前記音声認識に用いる前記行先階語彙辞書の前記行先階語彙を設定することを特徴とするエレベータの行先階登録装置。
【手続補正２】
【補正対象書類名】明細書
【補正対象項目名】００１０
【補正方法】変更
【補正の内容】
【００１０】
この発明に係るエレベータの行先階登録装置においては、エレベータの利用者が発した音声の入力を受ける音声入力部を用いて音声認識により呼び登録を行うエレベータの呼び登録装置において、呼び登録の行先階を表す所定の行先階語彙の音声データが複数登録された行先階語彙辞書を記憶する記憶部と、前記エレベータのサービス可能階及びサービス不可階についての情報を少なくとも含むエレベータ状態を前記エレベータから取得するエレベータ情報取得部と、前記エレベータ情報取得部が取得した前記エレベータ状態に基づいて、前記行先階語彙辞書に登録された各前記行先階語彙について、前記音声認識に用いるか否かを設定する辞書自動設定部と、前記音声入力部に入力された音声が、前記行先階語彙辞書の前記行先階語彙のうち前記辞書自動設定部により前記音声認識に用いると設定されたものの音声データと合致するか否かを判定して前記音声認識を行う音声認識部と、前記音声入力部に入力された音声が前記行先階語彙の音声データと合致したと判定された場合に、当該合致した前記行先階語彙が表す行先階への呼び登録要求をエレベータ制御部へと出力する行先階登録部と、前記エレベータの乗りかご内に設けられ、前記乗りかごの停止階への到着時に前記乗りかご内に発せられた停止階案内アナウンスを取り込むマイクと、を備え、前記辞書自動設定部は、前記マイクが取り込んだ前記停止階案内アナウンスに基づいて、前記音声認識に用いる前記行先階語彙辞書の前記行先階語彙を設定する構成とする。
【国際調査報告】
2012137284.tif 000010
2012137284.tif 000011
2012137284.tif 000012
2012137284.tif 000013